(57)【特許請求の範囲】
【請求項１】
体腔内に挿入して光学視管や処置具などをガイドする管路を有する細長の挿入部と、この挿入部の手元側に設けられ、前記挿入部の長軸に対して垂直な位置に付勢されて気密を確保する開閉自在な開閉弁を有する本体部と、この本体部の手元側に配置され、この手元側から管路内に導入された光学視管や処置具などの外周に密着して気密を維持可能とするシール部材とからなるトロッカー外套管において、
前記本体部に前記シール部材を着脱自在に固定する固定手段を設けるとともに、前記固定手段によって前記シール部材が前記本体部に固定された際に、前記本体部が有する開閉弁がその付勢力によって押し付けられて密着することで気密を確保可能に構成されたシール部を前記シール部材の一部に設けたことを特徴とするトロッカー外套管。
【発明の詳細な説明】
【０００１】
【発明の属する技術分野】
この発明は、患者の皮膚に刺して体腔内に挿入し、病変部の観察や処置を行なうための光学視管や処置具を体腔内に挿入するための案内管として使用するトロッカー外套管に関する。
【０００２】
【従来の技術】
一般に、従来のトロッカー外套管は、例えば、実用新案登録第２５３３６２４号公報に開示されているように、先端が鋭利なトロッカー内針を組み合わせて患者の皮膚に穿刺、貫通させ、内部に光学視管や処置具を通すことのできる管路を有する細長の挿入部と、この挿入部の手元側に設けられた保持部とからなり、保持部は挿入部の手元側に接続された本体部と本体部に気密に接続された蓋及び蓋に気密にはめ込まれたゴムキャップとを有している。
【０００３】
蓋には光学視管や処置具を導入する入口となる孔が設けられているとともに、蓋の内側にはこの孔を閉鎖する位置にバネによって付勢されたフラップ弁及び蓋とフラップ弁の間に気密を保つためのパッキンが設けられている。
【０００４】
前記ゴムキャップは弾性材料からなり、蓋の孔の入口の外周に密着して覆うように着脱自在にはめ込まれているとともに、ゴムキャップには光学視管や処置具を導入する入口となる孔が前記蓋の孔と整列する位置に設けられている。光学視管や処置具をこれら２つの孔を経由して先端へ進めてフラップ弁を押し開いて蓋の内部及び挿入部内に挿入すると、ゴムキャップの孔が光学視管や処置具に密着して気密を保つようになっている。
【０００５】
また、特開平５−２９３１１２号公報や実公平４−３４８０２号公報に開示されているように、径の異なる孔を有する気密弁を弾性変形可能な帯状の連結部品でつないでいた。
【０００６】
【発明が解決しようとする課題】
しかしながら、前述した実用新案登録第２５３３６２４号公報のものは、パッキンがフラップ弁に確実に密着して蓋とフラップ弁の間の気密を保つように、パッキンが蓋の内側のフラップ弁と対向する所定の位置にしっかりと固定されているが、蓋の内側の凹所にパッキンが位置するため、パッキン及びパッキンの周辺を洗滌するのが難しい。
【０００７】
また、手術中あるいは手術後の洗滌中に鉗子あるいは洗滌ブラシなどでパッキンが傷付いた場合や、滅菌を繰り返し行なってパッキンが硬化して気密が保てなくなった場合などに修理するのが容易でない。
【０００８】
また、前述した特開平５−２９３１１２号公報や実公平４−３４８０２号公報のものは、無負荷状態にすると連結部品は展開して平らに伸びて２つの気密弁同士が遠く離れ、かつ、連結部品の弾性力によって帯形状の薄い方向に曲がってふらふらし易い。その結果、連結部品の先端にある気密弁がふらついて位置が定まらず、術中の取り付け操作がやりにくいという問題がある。
【０００９】
この発明は、前記事情に着目してなされたもので、その目的とするところは、本体部のシール部材周辺を容易かつ確実に洗滌できるとともに、繰り返し使用しても常に確実な気密性を保て、さらに、メンテナンスが容易で、かつ交換部品のコストの安いトロッカー外套管を提供することができる。
【００１０】
【課題を解決するための手段】
この発明は、前記目的を達成するために、体腔内に挿入して光学視管や処置具などをガイドする管路を有する細長の挿入部と、この挿入部の手元側に設けられ、前記挿入部の長軸に対して垂直な位置に付勢されて気密を確保する開閉自在な開閉弁を有する本体部と、この本体部の手元側に配置され、この手元側から管路内に導入された光学視管や処置具などの外周に密着して気密を維持可能とするシール部材とからなるトロッカー外套管において、
前記本体部に前記シール部材を着脱自在に固定する固定手段を設けるとともに、前記固定手段によって前記シール部材が前記本体部に固定された際に、前記本体部が有する開閉弁がその付勢力によって押し付けられて密着することで気密を確保可能に構成されたシール部を前記シール部材の一部に設けたことを特徴とする。
【００１１】
前記構成によれば、シール部材を、本体部に対して固定手段によって着脱自在に取り付けられるようにしたので、シール部材や本体部のシール部材取り付け部周辺が洗滌しやすくなり、また、シール部材が傷ついたり劣化した場合も交換が容易となる。また、開閉弁に密着して気密を確保するシール部と光学視管や鉗子などに密着して気密を確保することができる。
【００１２】
【発明の実施の形態】
以下、この発明の実施の形態を図面に基づいて説明する。
【００１３】
図１〜図１３は、第１の実施形態を示し、図１及び図２はトロッカー外套管１にトロッカー内針２を組付けた時の全体図を示す。
【００１４】
図１及び図２に示すように、外套管１は、先端側に細長の挿入部３を有し、その手元側に保持部４が設けられている。また、内針２の先端側には細長の針部５を有し、その手元側に内針本体部６が設けられている。
【００１５】
外套管１の挿入部３は両端が開口した管路７を有し、管路７の手元側は保持部４の内部の空間８と連通している。保持部４の手元端には空間８に連通する開口９が設けられている。一方、内針２の挿入部の先端には鋭利な刃部１０が形成され、内針２を開口９より挿入して内針本体部６を保持部４の手元端に固定すると、内針２の針部５が空間８を経て管路７の中に達し、刃部１０が挿入部３の開口１１より外に露出するようになっている。
【００１６】
内針本体部６の先端側開口部１２の内側には弾性のリング１３が組み込まれていて、リング１３が保持部４の手元側近傍の外周の溝１４にはまり込むことにより、内針本体部６と外套管１の保持部４の長軸方向にがたつかないように固定される。
【００１７】
保持部４は本体部１５と蓋部１６とからなり、挿入部３の手元端は本体部１５の先端側のネジ１７により着脱自在に固定されている。ネジ１７に隣接して設けられた弾性材料からなるＯリング１８が挿入部３と保持部４の間の気密を確保している。
【００１８】
図３に示すように、蓋部１６の内部には外套管１の長軸に対して垂直に開閉弁としてのフラップ弁１９が設けられている。フラップ弁１９は外套管１の長軸と直交する向きに伸びる回転軸２０を中心に回転可能であり、通常は回転軸２０を取り囲むように設けられたつる巻き状の付勢バネ２１によって外套管１の長軸に対して垂直な位置に付勢されている。
【００１９】
しかし、フラップ弁１９は、蓋部１６の側壁に設けられ、外套管１の長軸に対して直角方向にスライド可能な押しボタン２２を中心軸方向に押すと、押しボタン２２の先端がフラップ弁１９に設けられたピン２３を外套管１の中心軸方向へ押し、付勢バネ２１の付勢力に逆らってフラップ弁１９を回転軸２０回りに回転させて外套管１の長軸と略平行な位置まで回転させることができる。また、フラップ弁１９は、内針２の先端や図示しない鉗子などの先端で外部に露出する背面２４を空間８の内部方向に押すことによっても回転することができる。
【００２０】
フラップ弁１９の背面は、先の鋭い金属の鉗子などを強く押し付けても表面に傷が付かないように硬い金属で覆われている。付勢バネ２１はつる巻ばねに限らず、板ばねやゴムばね等でもよい。
【００２１】
蓋部１６の手元側にはシール受け部２５が設けられ、このシール受け部２５とこれに嵌合された固定手段としてのシール固定枠２６の間には弾性材料からなるシール部材２７が両者の間に挟み込まれて固定されている。シール部材２７の先端側にはシール部としての円筒状のシールリング部２８、手元側にシールキャップ部２９が設けられており、また、シール部材２７の横に設けられた腕部３０の手元端近傍に小径シール部３１が設けられている。
【００２２】
シールリング部２８の先端は空間８に露出する位置に固定され、フラップ弁１９が付勢バネ２１の付勢力によってシールリング部２８の先端縁全周に押し付けられて密着し気密を確保し、また、フラップ弁１９が付勢バネ２１の付勢力に逆らって回転すると、シール部材２７の内部空間３２が空間８と連通する。
【００２３】
シールキャップ部２９の中心には内部空間３２と連通する孔３３が設けられており、この孔３３に内針２や図示しない鉗子などを通過させると、内針２や鉗子の外周に孔３３が密着して外部と内部空間３２の間の気密を確保する。また、小径シール部３１には孔３３よりも内径が小さい小径孔３４とリング状の取付鍔部３５が設けられており、腕部３０を折り曲げて取付鍔部３５をシール固定枠２６の手元端の開口９の中に押し込むと、図４に示すように、挿入部３や孔３３と同軸の延長線上に小径孔３４が整列するように固定される。
【００２４】
小径孔３４は、孔３３の内径よりも細い鉗子を挿入した時に細い鉗子の外周に密着して気密を確保する。シール部材２７の腕部３０は蓋部１６の後端面に対して垂直に手元側に向かって伸びており、腕部３０の先端部は蓋部１６の後端面に密着している。腕部３０の手元端の小径シール部３１の更に先端側にリップ部３１ａがあり、このリップ部３１ａを持って引っ張ると開口９から取付鍔部３５を取り外すことができる。
【００２５】
図５は、押しボタン２２の蓋部１６への取付部の詳細を示す。蓋部１６の側壁に外套管１の長軸に対して垂直に設けられた貫通孔３７に円筒状のスリーブ３８がはめ込まれ、スリーブ３８は顎部３９で蓋部１６に対して位置決めされている。スリーブ３８の上には弾性材料からなるリング状のパッキン４０がはめ込まれ、蓋部１６に対してネジ込まれた止めナット４１によって固定されている。スリーブ３８は摺動性と耐摩耗性の優れたポリサルフォンやポリエーテルエーテルサルフォンあるいはポリフェニルサルフォンなどの樹脂材料で作られている。
【００２６】
図６に示すように、外套管１の保持部４は本体部１５と蓋部１６に分割及び組み立てが可能で、本体部１５の後端には全周的にフランジ部４２とパッキンリング４３が設けられ、フランジ部４２の先端側の端面には上下、対称２ヶ所にカム面４４と凹部４５が設けられている。一方、図７に示すように、蓋部１６の先端には上下２ヶ所、対称な位置に爪部４６が設けられている。
【００２７】
図３に示すように、本体部１５に蓋部１６を接続した状態ではパッキンリング４３が圧縮に対する反発力によって両者を離す方向に付勢し、この付勢力によって爪部４６がカム面４４または凹部４５に押し付けられて噛合っている。
【００２８】
さらに、図８に示すように、フランジ部４２の左右は垂直に切り落とされたブランク部４７となっており、図８（ａ）のように本体部１５に対して蓋部１６を回転して爪部４６をブランク部４７の所に位置させると、爪部４６がフランジ部４２を乗り越えるまで本体部１５と蓋部１６を近づけることができる。さらに本体部１５に対して蓋部１６を回転させると、爪部４６がカム面４４上を滑って凹部４５に落ち込む。図６に示すように、凹部４５の脇にはストッパ面４５’があって、蓋部１６が凹部４５より先に回転しないように規制している。
【００２９】
図９は、蓋部１６とシール固定枠２６とを分解してシール部材２７を取り外した状態を示す。蓋部１６のシール受け部２５は内側にシール部材２７を受け取る円筒空間４８と蓋部１６内の空間に連通する窓４９が設けられている。
【００３０】
一方、図１０及び図１１に示すように、蓋部１６のシール受け部２５の外周面上には対称２ヶ所にカム溝５０が設けられ、シール固定枠２６には対称２ヶ所に爪部５１とシール部材２７を圧迫固定するための円筒縁５２が設けられている。
【００３１】
爪部５１をカム溝５０の開口端５３の位置に合わせ、蓋部１６とシール固定枠２６を近づけながら蓋部１６に対してシール固定枠２６を回転させると、爪部５１がカム溝５０の手元側にあるカム面５４上を滑り、凹部５５に達し、その先に垂直に設けられたストッパ面５６に突き当たって止まる。
【００３２】
図１２に示すように、蓋部１６の円筒空間４８内にシール部材２７の円盤部５７を落とし込むと、シールリング部２８が蓋部１６の窓４９を通って蓋部１６内の空間８に露出する。また、図１２に示すように、シール受け部２５の一部には切欠部２５’が設けられていて、この切欠部２５’を通って腕部２７が円盤部５７の外周から外に伸びている。
【００３３】
さらに、前記のように蓋部１６のカム溝５０にシール固定枠２６の爪部５１を合わせて近づけ、爪部５１がカム溝５０内を移動するように回転すると、シール固定枠２６の円筒縁５２がシール部材２７の円盤部５７を先端方向に圧迫してシール部材２７が動かないように固定する。この時のシール部材２７の反発力が蓋部１６からシール固定枠２６を離す方向に働き、爪部５１がカム面５４や凹部５５に押し付けられてしっかりと噛合う。
【００３４】
図１３に示すように、シール部材２７の円盤部５７の円筒縁５２が当る面の反対面にはアーチ状の溝５８が全周に設けてあり、円筒部５２による先端方向への圧迫に対する円盤部５７の弾力性を高めている。また、円盤部５７の外周には円筒状の壁部５９を設け、使用中にシール部材２７に力が加わって円盤部５７が変形した場合でも、壁部５９が円筒縁５２に引っ掛かって円盤部５７が外れないようになっている。
【００３５】
前述した第１の実施形態によれば、次のような効果がある。
【００３６】
(1) シール部材２７を、蓋部１６に対して着脱自在なシール固定枠２６によって着脱自在に取り付けられるようにしたので、シール部材２７や蓋部１６のシール部材取り付け部周辺が洗滌しやすくなり、また、シール部材２７が傷ついたり劣化した場合も交換が容易となる。また、フラップ弁１９に密着して気密を確保するシールリング部２８と光学視管や鉗子などに密着して気密を確保する孔３３のあるシールキャップ部２９とを同一の部品にまとめたことにより、交換部品点数が少なくなるのでメンテナンスが容易であり、また、交換部品のコストも下げられる。
【００３７】
(2) シール部材２７のシールキャップ部２９の孔３３と同軸上、手元側にシール固定枠２６の開口９が位置して光学視管や処置具の大きな傾きを規制するので、使用中、シールキャップ部２９の孔３３と光学視管や処置具との間に隙間ができない。このため、使用中の気密が確実に保てる。
【００３８】
(3) シール部材２７の円盤部５７（取り付け部）にアーチ状の溝５８を設けたので、この部分の弾力性が増し、シール固定枠２６でシール部材２７を固定する時に小さな力で固定でき、かつ、取り付け後も外れにくい。
【００３９】
(4) 腕部３０を蓋部１６の後端面に対して垂直に立てたので、使用中、シール部材２７に長軸方向の力が加わってもシール部材２７がシール固定枠２６の円筒縁５２から外れない。
【００４０】
図１４は第２の実施形態を示す。本実施形態は、第１の実施形態のシール部材２７の変形例である。弾性材料からなるシール部材６１は、第１の実施形態に示す外套管１の保持部４内に取り付けられるシールキャップ部６２と小径シール部６３とを有し、シールキャップ部６２には比較的内径の大きい孔６４が設けられ、小径シール部６３には孔６４よりも小さい小径孔（図示しない）が設けられ、小径シール部６３は腕部６５によってシールキャップ部６２に取り付けられている。
【００４１】
シールキャップ部６２と腕部６５の接続部６６は直角に曲がっていてシールキャップ部６２が外套管１に密着する取り付け面６７に対して腕部６５が垂直に手元側へ伸びており、腕部６５を曲げると小径シール部６３を外套管１の後端のシール固定枠２６の取付部に小径シール部６３が近づいて取り付け易くなる。なお、接続部６６の巾Ｗ１は、腕部６５の巾Ｗ２よりも広くなっている。
【００４２】
第２の実施形態によれば、シールキャップ部６２に対して小径シール部６３が垂直な位置にあるので、小径シール部６３を付ける時、腕部６５を約９０゜曲げるだけで済み、取り付け操作が容易になる。
【００４３】
接続部６６の巾Ｗ１が腕部６５の巾Ｗ２よりも広くなっているので、接続部６６の剛性が増し、取り付け面６７に対して腕部６５が傾いたり振れたりすることがない。このため、小径シール部６３は同じ位置に安定してとどまり、使用中の小径シール部６３の位置確認をすばやく行なえ、取り付け操作がやり易い。なお、接続部６６のゴム硬度を硬くして成形したり、接続部６６に補強部材を取り付けても同じ効果が得られる。
【００４４】
図１５及び図１６は第３の実施形態を示す。本実施形態は第１の実施形態のシール部材２７の変形例であり、図１５（ａ）はシール部材７１の断面図、図１５（ｂ）は斜視図である。
【００４５】
シール部材７１は、第１の実施形態に示す外套管１の保持部４内に取り付けられる取り付け部７２とシールキャップ部７３と腕部７４とがあり、腕部７４の先に小径シール部７５が設けられている。
【００４６】
シールキャップ部７３の手元端に外周が円形状で、椀形状をした支持面７６ａが設けられ、支持面７６ａの中心に比較的内径の大きい孔７６が設けられている。小径シール部７５には支持面７６ａと同じ曲率の椀形状をした小径支持面７７ａがあり、その中心に孔７６よりも内径の小さい小径孔７７と取付フランジ７８がある。また、図１５（ｂ）のように、腕部７４はシールキャップ部７３の外縁に設けられていて、シールキャップ部７３の外周の形状と同じ曲率を有している。
【００４７】
腕部７４に曲率があるために、図１５（ａ）のような折りたたんだ状態あるいは図１５（ｂ）のような反対側へ１８０゜以上３６０゜以下に折り返された状態で落ち着く。そして、１８０゜平らに開いた状態、すなわち図１５（ａ）と図１５（ｂ）の中間の状態では図１６に示すように腕部７４の縁部７４ａの伸び量と腕部７４の中心部７４ｂの伸び量とが大きく異なるため歪み力が発生し、そのままの形態は維持されない。そして、図１５（ａ）のように腕部７４を折り曲がって取り付け、取付フランジ７８が孔７６と重なりあう状態、または図１５（ｂ）のように腕部７４が１８０゜以上３６０゜以下に折り返されてシールキャップ部７３から小径シール部７５が完全に遠ざかって孔７６が完全に露出する２つの状態をとることになる。
【００４８】
図１５（ａ）のように、腕部７４を折り曲がって取付フランジ７８が孔７６と重なりあう位置にある時、そのまま、取付フランジ７８を孔７６に押し込むと孔７６にはまり込んで固定できる。
【００４９】
第３の実施形態によれば、中途半端な状態とならず、太い鉗子を使うために小径シール部７５を脇にずらしてシールキャップ部７３の孔７６に鉗子を挿入できる状態と、孔７６の内径よりも細い鉗子を使うためにシールキャップ部７３に小径シール部７５を取り付けて小径孔７７に鉗子を挿入できる状態の切り換えがすばやく、かつ確実に行なえる。
【００５０】
また、構造が簡単でゴムなどの弾性部材による一体成形で作れるので洗滌、滅菌が容易に確実に行なえて安全である上に、安価なコストで製造することも可能である。
【００５１】
また、２つの支持面７６ａと７７ａを同様の曲率の椀形状にしたので、両者の中心合わせがやり易く、操作する指の触感で確実に取り付けられたかどうか確認し易い。
【００５２】
図１７は第４の実施形態を示し、本実施形態は第１の実施形態のシール部材２７の変形例である。図１７（ａ）はシール部材８１の断面図、図１７（ｂ）は斜視図である。第３の実施形態と同様、シール部材８１は、第１の実施形態に示す外套管１の保持部４への取り付け部８２とシールキャップ部８３と腕部８４を有し、腕部８４の先に小径シール部８５が設けられている。
【００５３】
腕部８４は取り付け部８２より周方向外側に伸び、折れ曲り部８６で折り返して小径シール部８５に達している。折れ曲り部８６は図１７（ｂ）に示すように曲線形状になっている。
【００５４】
前述のように、折れ曲り部８６に曲率があるために、折れ曲り部８６を平らに展開すると、第３の実施形態と同様、縁部と中心部での伸び量とが異なって歪み力が生じ、そのままの形態は維持できず、図１７（ａ）のように完全に折れ曲がる（開き角が０゜となる）か、３６０゜近くまで捲くれ反った状態で安定する。
【００５５】
第４の実施形態によれば、第３の実施形態に比較して腕部８４が横に伸びているので、小径シール部８５を使わない時に、小径シール部８５がシールキャップ部８３からより遠い所に移動し、鉗子の挿脱や操作の邪魔にならない。
【００５６】
図１８は第５の実施形態を示し、図１８（ａ）は外套管１の保持部４の縦断側面図、図１８（ｂ）はＦ−Ｆ線に沿う断面図である。本実施形態は、第１の実施形態の外套管１の保持部４の蓋部１６の内部に設けられている開閉弁としてのフラップ弁１９の変形例である。
【００５７】
外套管９１の蓋部９２の後端に設けられた円筒状の枠９３の内部には回転ノブ９４及び円形に同じ角度をなすように並べられた複数の羽根９５が設けられている。それぞれの羽根９５は回転ノブ９４に固定されたピン９６を中心に回転可能で、図１８（ｂ）において回転ノブ９４を反時計方向に回転させると、羽根９５の外側のカム面９７が蓋部９２または枠９３に固定されたカムピン９８に噛合って周方向内側に押されてピン９６を中心として旋回する。これにより羽根９５の先端９９が周方向内側に移動して各羽根９５の先端がお互いに近づき、先端９９が把持しているシール弁１００を中心方向に圧縮する。
【００５８】
シール弁１００の外周部はリング状の厚肉部１０１となっていて、その中心に薄肉の膜状部１０２があり、膜状部１０２の中心には円形の孔１０３が設けられている。第１の実施形態と同様、回転ノブ９４の中心に設けられた開口９４ａを通して孔１０３の中に鉗子や内針を通すと孔１０３が鉗子や内針の外周に密着して気密を確保する。
【００５９】
厚肉部１０１が中心方向に圧縮されるのに伴い、その中の膜状部１０２も圧縮されて孔１０３が閉じ、気密を確保する。逆に回転ノブ９４を時計方向に回転すると、前記ステップとは逆に各羽根９５の先端がお互いに離れて厚肉部１０１ヘの圧縮力がなくなり、再び孔１０３が元の大きさに戻る。
【００６０】
第５の実施形態によれば、第１の実施形態のフラップ弁１９に比べると、構造が簡単で壊れにくく、部品点数が少ないこと及び組み立てが簡単なことから製造コストも安くなる。また、孔１０３の直径を任意に拡縮、調節できるので、第１の実施形態のように鉗子の太さにあわせて小径シール部３１を着脱する必要もなく、術中の鉗子の文換作業をすばやく行なえる。
【００６１】
図１９は第６の実施形態を示し、本実施形態は第５の実施形態と同じく外套管１の保持部４の蓋部１６の内部に設けられた開閉弁としてのフラップ弁１９の変形例である。
【００６２】
蓋部１１０の後端に設けられた円筒状の枠１１１の内側は先細りのテーパになっており、そのテーパの途中にシール弁１１２が落とし込まれている。シール弁１１２の外周部はリング状の厚肉部１１３となっていて、その中心に薄肉の膜状部１１４があり、膜状部１１４の中心には円形の孔１１５が設けられている。孔１１５は第１の実施形態と同様にその中に鉗子や内針を通すと鉗子や内針の外周に密着して気密を確保する。
【００６３】
枠１１１の手元側には押し込みノブ１１６がネジ部１１７で接続されている。押し込みノブ１１６の中心には開口１１８が設けられ、先端側にはリング状の押し込み縁１１９が設けられている。押し込み縁１１９はシール弁１１２の厚肉部１１３の後端面に接している。枠１１１に対して押し込みノブ１１６をねじ込んでいくと、押し込み縁１１９がシール弁１１２をテーパの先端側、すなわち内径の小さい方へと移動させ、テーパ部が厚肉部１１３の外周を中心方向に圧縮する。そして、厚肉部１１３の中の膜状部１１４も圧縮されて孔１１５が閉じ、気密を確保する。
【００６４】
逆に、押し込みノブ１１６を逆方向に回転させて手元側に移動させると、前記ステップとは逆にシール弁１１２がテーパ部の手元側、すなわち内径の大きい方へと移動し、厚肉部１１３への圧縮力がなくなり、再び孔１１５が元の大きさに戻る。
【００６５】
第６の実施形態によれば、第５の実施形態よりも更に構造が簡単になる。
【００６６】
図２０は第７の実施形態を示し、本実施形態は第５の実施形態と同じく外套管１の保持部４の蓋部１６の内部に設けられた開閉弁としてのフラップ弁１９の変形例である。
【００６７】
蓋部１２１の後端に設けられた円筒状の枠１２２の内側の底部１２３に突き当たるようにシール弁１２４が落とし込まれている。シール弁１２４の外周部はリング状の厚肉部１２５となっていて、その内側は徐々に薄肉になる移行部１２６となっていて、その中心に薄肉の膜状部１２７があり、膜状部１２７の中心に円形の孔１２８が設けられている。枠１２２の手元端には圧縮ノブ１２９がネジ部１３０で枠１２２の外周に接続されている。圧縮ノブ１２９の中心には開口１３１が設けられ、ここから鉗子や内針を挿入し、孔１２８に通すと孔１２８が鉗子や内針の外周に密着して気密を確保する。
【００６８】
また、枠に圧縮ノブ１２９をねじ込むと、圧縮ノブ１２９の内壁１３２と底部１２３の間で厚肉部１２５が長軸方向に圧縮され、厚肉部１２５の外周は枠１２２と圧縮ノブ１２９の内径によって規制されているために、厚肉部１２５の中心付近が内側へと押し出され、その結果、その中の膜状部１２７を中心方向へと圧縮して孔１２８を閉じ、気密を確保する。逆に圧縮ノブ１２９を逆方向に回転させて手元側に移動させると、シール弁１２４の厚肉部１２５への圧縮力がなくなり、その結果、孔１２８が元の大きさに戻る。なお、厚肉部１２５の外周に全周的にＶ字型の溝１３３を設けると、更に効率よく厚肉部１２５が周方向内側に移動し易くなる。
【００６９】
第７の実施形態によれば、第５の実施形態よりも更に構造が簡単になる。
【００７０】
前記各実施形態によれば、次のような構成が得られる。
【００７１】
（付記１）体腔内に挿入して光学視管や処置具などをガイドする管路を有する細長の挿入部と、前記管路に挿入され、手元側に気密を確保する開閉自在な開閉弁を有する本体部と、前記管路の手元側から挿入される光学視管や処置具などの外周に密着して気密を維持するシール部材とからなるトロッカー外套管において、前記本体部にシール部材を着脱自在に固定する固定手段を設けるとともに、シール部材の一部に開閉弁と協働して気密を確保するシール部を設けたことを特徴とするトロッカー外套管。
【００７２】
（付記２）付記１のトロッカー外套管において、開閉弁がトロッカー外套管の中心軸を横切る位置と中心軸から横にずれた位置との間で移動可能なフラップ弁であることを特徴とするトロッカー外套管。
【００７３】
（付記３）付記１のトロッカー外套管において、シール部材が弾性材料で一体成形された単一の部品であることを特徴とするトロッカー外套管。
【００７４】
（付記４）付記１のトロッカー外套管において、シール部材が本体部のシール受け部と中心に開口を有するシール固定枠との間に挟み込むことにより固定されることを特徴とするトロッカー外套管。
【００７５】
（付記５）体腔内に挿入して光学視管や処置具などをガイドする管路を有する細長の挿入部と、手元側に気密を確保する開閉自在な開閉弁を有する本体部と、手元側から管路内に導入された光学視管や処置具などの外周に密着して気密を維持するシール部材とからなるトロッカー外套管において、前記シール部材に光学視管や処置具が挿入可能で選択的に切り換えできる径の異なる２つ以上の孔と孔を支える支持面を設けて、２つの支持面を板状の弾性部材からなり１つ以上の折り返し部を有する腕部材で連結するとともに、折り返し部を湾曲形状にしたことを特徴とするトロッカー外套管。
【００７６】
（付記６）付記５のトロッカー外套管において、それぞれの支持面の外周を円形にするとともに、折り返し部を少なくとも一方の支持面の辺縁部に隣接する位置に設けたことを特徴とするトロッカー外套管。
【００７７】
（付記７）付記５のトロッカー外套管において、折り返し部をそれぞれの支持面から離れた位置に設けたことを特徴とするトロッカー外套管。
【００７８】
（付記８）付記５のトロッカー外套管において、それぞれの支持面をほぼ同じ曲率を有する椀形状にしたことを特徴とするトロッカー外套管。
【００７９】
付記１〜４によれば、開閉弁としてのフラップ弁に密着して気密を保つパッキン部と光学視管や処置具に密着して気密を保つ孔を有するシールキャップ部とを一体化したシール部材を設けることにより、シール部材を蓋部の手元端に着脱自在に設けたシール部材で固定することにより、容易かつ確実に着脱できる。
【００８０】
付記５〜８によれば、シール部材のそれぞれ径の異なる孔を有するシールキャップ部と小径シール部を連結する帯状の腕部材に折り返し部を設けるとともに、折り返し部を湾曲形状とすることにより、中途半端に平らに展開した状態になりにくく、折り返し部が完全に折りたたんだ状態と完全に捲れかえった状態の２つの状態になりやすいようにした。シール部材のシールキャップ部と径の小さい孔を有する小径シール部を連結する腕部材が中途半端に平らに展開した状態にならず、完全に折りたたんだ状態と完全に捲れかえった状態の２つの状態になりやすいので、シールキャップ部に小径シール部を取り付ける時に、小径シール部をすばやく見つけられ、取り付け操作を容易、確実、かつすばやく行なえる。
【００８１】
【発明の効果】
以上説明したように、この発明によれば、挿入部の本体部からシール部材を取り外せるのでシール部材や本体部のシール部材取り付け部の周辺が洗滌し易く、また、シール部材のパッキン部やシールキャップ部が傷ついたり劣化した場合も新しいシール部材と交換することにより常に確実なシール性が得られるので、トロッカー外套管を長く、繰り返し使用できる。
【００８２】
また、開閉弁に密着して気密を確保するシール部と光学視管や鉗子などに密着して気密を確保する孔のあるシールキャップ部とは、何れも傷つき易い部品であるが、これらを同一の部品にまとめたことにより、交換部品点数を減らすことができメンテナンスが容易であり、また、交換部品のコストダウンも図れるという効果がある。
【図面の簡単な説明】
【図１】この発明の第１の実施形態を示すトラッカー外套管の側面図。
【図２】同実施形態のトラッカー外套管の側面図。
【図３】同実施形態のトラッカー外套管の保持部の縦断側面図。
【図４】同実施形態のトラッカー外套管の保持部の縦断側面図。
【図５】同実施形態のトラッカー外套管の押しボタンの取付け部を示す縦断側面図。
【図６】同実施形態のトラッカー外套管の保持部と蓋部の側面図。
【図７】同実施形態を示し、図６のＡ矢視図。
【図８】同実施形態を示し、（ａ）は図６のＢ−Ｂ線に沿う断面図、（ｂ）は蓋部を回した状態の同断面図。
【図９】同実施形態のトラッカー外套管の保持部の縦断側面図。
【図１０】同実施形態のトラッカー外套管の蓋部の側面図。
【図１１】同実施形態を示し、図９のＣ矢視図。
【図１２】同実施形態のトラッカー外套管のシール受け部を手元側から見た図。
【図１３】同実施形態のトラッカー外套管のシール部材の縦断側面図。
【図１４】この発明の第２の実施形態を示すシール部材の斜視図。
【図１５】この発明の第３の実施形態を示し、（ａ）はシール部材の縦断側面図、（ｂ）は同斜視図。
【図１６】同実施形態の作用説明図。
【図１７】この発明の第４の実施形態を示し、（ａ）はシール部材の縦断側面図、（ｂ）はＤ矢視図。
【図１８】この発明の第５の実施形態を示し、（ａ）は蓋部の縦断側面図、（ｂ）はＥ−Ｅ線に沿う断面図。
【図１９】この発明の第６の実施形態を示す蓋部の縦断側面図。
【図２０】この発明の第７の実施形態を示す蓋部の縦断側面図。
【符号の説明】
１…外套管
２…内針
３…挿入部
４…保持部
６…本体部
７…管路
１９…フラップ弁（開閉弁）
２５…シール受け部
２６…シール固定枠
２７…シール部材
２８…シールリング部
【図１】
0003713399.tif 000002
【図２】
0003713399.tif 000003
【図３】
0003713399.tif 000004
【図４】
0003713399.tif 000005
【図５】
0003713399.tif 000006
【図６】
0003713399.tif 000007
【図７】
0003713399.tif 000008
【図８】
0003713399.tif 000009
【図９】
0003713399.tif 000010
【図１０】
0003713399.tif 000011
【図１１】
0003713399.tif 000012
【図１２】
0003713399.tif 000013
【図１３】
0003713399.tif 000014
【図１４】
0003713399.tif 000015
【図１５】
0003713399.tif 000016
【図１６】
0003713399.tif 000017
【図１７】
0003713399.tif 000018
【図１８】
0003713399.tif 000019
【図１９】
0003713399.tif 000020
【図２０】
0003713399.tif 000021